(57)【要約】【課題】吊り荷の揚程が少ない状況でも対応することができ、しかも、バランスの微調整が容易に行える重心調整用天秤を提供する。【解決手段】クレーン２に吊り下げられる第１天秤棒１と、第１天秤棒１の一端に、第１天秤棒１の長手方向に間隔をあけて取り付けられた一対のバランスウエイト用チェーンブロック３ａ、３ｂと、一対のバランスウエイト用チェーンブロック３ａ、３ｂの吊下げ用フック５に吊下げ治具６を介して吊り下げられるバランスウエイト４とからなり、吊下げ用フック５は、吊下げ治具６にまとめて掛けられ、第１天秤棒１の他端に吊り荷８が吊り下げられる。【選択図】図２
2019177964.tif 000002
【特許請求の範囲】
【請求項１】
クレーンに吊り下げられる第１天秤棒と、前記第１天秤棒の一端に、前記第１天秤棒の長手方向に間隔をあけて取り付けられた一対のバランスウエイト用チェーンブロックと、前記一対のバランスウエイト用チェーンブロックの吊下げ用フックに吊下げ治具を介して吊り下げられるバランスウエイトとからなり、前記吊下げ用フックは、前記吊下げ治具にまとめて掛けられ、前記第１天秤棒の他端に吊り荷が吊り下げられることを特徴とする重心調整用天秤。
【請求項２】
前記吊り荷は、一対の吊り荷用チェーンブロックを介して前記第１天秤棒の他端に吊り下げられることを特徴とする、請求項１に記載の重心調整用天秤。
【請求項３】
前記吊り荷用チェーンブロックには、第２天秤棒が取り付けられ、前記吊り荷は、前記第２天秤棒に吊り下げられることを特徴とする、請求項２に記載の重心調整用天秤。
【請求項４】
前記バランスウエイトは、前記吊下げ治具に取り付けられた、前記バランスウエイトの高さ調整用チェーンブロックの吊下げ用フックに吊り下げられることを特徴とする、請求項１から３の何れか１つに記載の重心調整用天秤。
【請求項５】
前記吊下げ治具は、シャックルからなっていることを特徴とする、請求項１から４の何れか１つに記載の重心調整用天秤。
【請求項６】
前記吊り荷は、火力発電設備のダクトであることを特徴とする、請求項１から５の何れか１つに記載の重心調整用天秤。
【発明の詳細な説明】
【技術分野】
【０００１】
この発明は、重心調整用天秤、特に、吊り荷の揚程が少ない状況でも対応することができ、しかも、バランスの微調整が容易に行える重心調整用天秤に関するものである。
【背景技術】
【０００２】
例えば、高層ビルの施工において、下層から順次、カーテンウオールやパネル等の壁部材をクレーンにより吊り上げてビルの側面に取り付ける際に、上階の鉄骨や足場が邪魔になり、クレーンのフックを壁部材の取付け位置に近づけられないことがある。
【０００３】
この解決策として、図３に示すようなバランス型天秤がある。以下、このバランス型天秤を従来天秤１という。
【０００４】
図３に示すように、従来天秤１は、クレーンのフック１１に天秤棒１２を吊り下げ、天秤棒１２の一端にバランスウエイト１３を取り付け、天秤棒１２の他端、すなわち、ビル側の端部に吊り荷としての壁部材１４を吊り下げたものである。
【０００５】
従来天秤１によれば、バランスウエイト１３を調整して壁部材１４とバランスさせれば、天秤棒１２が水平を維持した状態で壁部材１４をビルの側面１５に取り付けることができる。
【０００６】
従来天秤１によれば、上階の鉄骨や足場があっても壁部材１４をクレーンにより吊り上げてビルの側面１５に取り付けることができるが、壁部材１４をビルの側面１５に取り付ける際に、壁部材１４を天秤棒１２から取り外すと、バランスが崩れて天秤棒１２とバランスウエイト１３が図４に示す方向に移動する。この結果、安全上の問題が生じるとともに、フック１１の位置も移動するので、次の壁部材１４の取り付け作業およびクレーンの操作が困難になるといった問題があった。
【０００７】
そこで、上記問題を解決することができるバランス型天秤が特許文献１に開示されている。
【０００８】
以下、このバランス型天秤を従来天秤２といい、図面を参照しながら説明する。
【０００９】
図５は、従来天秤２を示す正面図である。
【００１０】
図５に示すように、従来天秤２は、クレーンのフック１６に、両端に滑車１７、１８を取り付けた天秤棒１９を吊り下げ、天秤棒１９の中央部にワイヤーロープ２０によってバランスウエイト２１をシャックル２２を介して吊り下げ、一端をシャックル２２に取り付けたワイヤーロープ２３の他端に滑車１７、１８を介して吊り荷２４を吊り下げるものである。
【００１１】
従来天秤２によれば、クレーンにより天秤棒１９を吊り上げると、バランスウエイト２１と吊り荷２４との重量がバランスするまで、吊り荷２４は、下降し、バランスウエイト２１は、図中矢印で示すように滑車１７方向に移動する。この結果、吊り荷２４が、例えば、上述した壁部材である場合には、上階の鉄骨や足場があっても壁部材をクレーンにより吊り上げてビルの側面１５（図３参照）に取り付けることができる。
【００１２】
しかも、吊り荷２４を天秤棒１９から取り外した場合には、バランスウエイト２１は、天秤棒１９の中央部まで移動するので、天秤棒１９は、水平を維持する。この結果、安全上の問題は、生じない。しかも、フック１６の位置は、移動しないので、次の壁部材の取り付け作業およびクレーンの操作にも支障を来たさない。
【先行技術文献】
【特許文献】
【００１３】
【特許文献１】特開平９−３１５７６０号公報
【発明の概要】
【発明が解決しようとする課題】
【００１４】
上述したように、従来天秤２によれば、吊り荷２４を天秤棒１９から取り外した後でも、天秤棒１９は、水平を維持するので、安全上の問題は生じない。しかも、フック１６の位置は、移動しないので、次の壁部材の取り付け作業およびクレーンの操作にも支障を来たさないが、以下のような問題があった。
【００１５】
吊り荷２４の重量が大きい場合、バランスウエイト２１の移動量が大きくなるので、その分、吊り荷２４の下降量が多くなる。この結果、吊り荷２４の揚程が限られている場合には、対応ができないおそれがあった。また、バランスの微調整が容易に行えない。
【００１６】
従って、この発明の目的は、吊り荷の揚程が少ない状況でも対応することができ、しかも、バランスの微調整が容易に行えるバ重心調整用天秤を提供することにある。
【課題を解決するための手段】
【００１７】
この発明は、上記目的を達成するためになされたものであって、下記を特徴とするものである。
【００１８】
請求項１に記載の発明は、クレーンに吊り下げられる第１天秤棒と、前記第１天秤棒の一端に、前記第１天秤棒の長手方向に間隔をあけて取り付けられた一対のバランスウエイト用チェーンブロックと、前記一対のバランスウエイト用チェーンブロックの吊下げ用フックに吊下げ治具を介して吊り下げられるバランスウエイトとからなり、前記吊下げ用フックは、前記吊下げ治具にまとめて掛けられ、前記第１天秤棒の他端に吊り荷が吊り下げられることに特徴を有するものである。
【００１９】
請求項２に記載の発明は、請求項１に記載の発明において、前記吊り荷は、一対の吊り荷用チェーンブロックを介して前記第１天秤棒の他端に吊り下げられることに特徴を有するものである。
【００２０】
請求項３に記載の発明は、請求項２に記載の発明において、前記吊り荷用チェーンブロックには、第２天秤棒が取り付けられ、前記吊り荷は、前記第２天秤棒に吊り下げられることに特徴を有するものである。
【００２１】
請求項４に記載の発明は、請求項１から３の何れか１つに記載の発明において、前記バランスウエイトは、前記吊下げ治具に取り付けられた、前記バランスウエイトの高さ調整用チェーンブロックの吊下げ用フックに吊り下げられることに特徴を有するものである。
【００２２】
請求項５に記載の発明は、請求項１から４の何れか１つに記載の発明において、前記吊下げ治具は、シャックルからなっていることに特徴を有するものである。
【００２３】
請求項６に記載の発明は、請求項１から５の何れか１つに記載の発明において、前記吊り荷は、火力発電設備のダクトであることに特徴を有するものである。
【発明の効果】
【００２４】
この発明によれば、一対のバランスウエイト用チェーンブロックによりバランスウエイトの位置を調整してバランスを取ることができるので、吊り荷の揚程が少ない状況でも対応することができる。
【００２５】
また、この発明によれば、一対のバランスウエイト用チェーンブロックを使用することによって、バランスの微調整が容易に行える。
【図面の簡単な説明】
【００２６】
【図１】この発明の重心調整用天秤を示す正面図である。
【図２】この発明の重心調整用天秤により吊り荷を吊り上げた状態を示す正面図である。
【図３】従来天秤１により壁部材を吊り上げた状態を示す正面図である。
【図４】壁部材を天秤棒から取り外した後の従来天秤１を示す正面図である。
【図５】従来天秤２を示す正面図である。
【発明を実施するための形態】
【００２７】
この発明の重心調整用天秤の一実施態様を、図面を参照しながら説明する。
【００２８】
図１は、この発明の重心調整用天秤を示す正面図、図２は、この発明の重心調整用天秤により吊り荷を吊り上げた状態を示す正面図である。
【００２９】
図１および図２において、１は、クレーン２に吊り下げられる第１天秤棒、３ａ、３ｂは、第１天秤棒１の一端に、第１天秤棒１の長手方向に間隔をあけて取り付けられた一対のバランスウエイト用チェーンブロック、４は、バランスウエイトである。バランスウエイト４は、一対のバランスウエイト用チェーンブロック３ａ、３ｂの吊下げ用フック５に、シャックルからなる吊下げ治具６およびバランスウエイト４の高さ調整用チェーンブロック７を介して吊り下げられる。一対のバランスウエイト用チェーンブロック３ａ、３ｂの吊下げ用フック５は、吊下げ治具６にまとめて掛けられている。
【００３０】
８は、吊り荷である。吊り荷８は、第１天秤棒１の他端に、一対の吊り荷用チェーンブロック９ａ、９ｂおよび第２天秤棒１０を介して吊り下げられている。
【００３１】
このように構成されている、この発明の重心調整用天秤により、吊り荷８を吊り上げるには、図２に示すように、バランスウエイト４を、一対のバランスウエイト用チェーンブロック３ａ、３ｂの吊下げ用フック５に、吊下げ治具６およびバランスウエイト４の高さ調整用チェーンブロック７を介して吊り下げる。
【００３２】
そして、吊り荷８を一対の吊り荷用チェーンブロック９ａ、９ｂに第２天秤棒１０を介して吊り下げる。
【００３３】
この状態で、クレーン２により第１天秤棒１を吊り上げ、第１天秤棒１が水平を維持しない場合には、一対のバランスウエイト用チェーンブロック３ａ、３ｂの何れかを操作して第１天秤棒１が水平を維持するようにバランスをとる。
【００３４】
すなわち、第１天秤棒１が吊り荷８側に傾く場合には、一方のバランスウエイト用チェーンブロック３ａを伸ばし、他方のバランスウエイト用チェーンブロック３ｂを縮めて、第１天秤棒１が水平を維持するまで、バランスウエイト４を図中矢印方向に移動させる。
【００３５】
一方、第１天秤棒１がバランスウエイト４側に傾く場合には、一方のバランスウエイト用チェーンブロック３ａを縮め、他方のバランスウエイト用チェーンブロック３ｂを伸ばす。
【００３６】
これにより第１天秤棒１が水平を維持した状態で、クレーン２により吊り荷８を吊り上げることができる。
【００３７】
このように、第１天秤棒１のバランス調整は、人手で行うので、バランスの微調整が容易に行える。しかも、バランスウエイト４を、従来天秤２のように、吊り荷８を上下方向に移動させることなくバランスを取ることができるので、吊り荷８の揚程が少ない状況でも対応することができる。
【００３８】
なお、バランスウエイト４の高さ調整の必要がある場合には、高さ調整用チェーンブロック７を操作する。
【００３９】
また、吊り荷８が、例えば、火力発電設備のダクトのように、バランスがとりにくい物の場合には、一対の吊り荷用チェーンブロック９ａ、９ｂを操作してバランスをとる。
【００４０】
以上、説明したように、この発明によれば、一対のバランスウエイト用チェーンブロック３ａ、３ｂによりバランスウエイト４の位置を調整してバランスを取ることができるので、吊り荷８の揚程が少ない状況でも対応することができる。
【００４１】
また、この発明によれば、一対のバランスウエイト用チェーンブロック３ａ、３ｂを使用することによって、バランスの微調整が容易に行える。
【００４２】
また、この発明によれば、吊り荷８を一対の吊り荷用チェーンブロック９ａ、９ｂおよび第２天秤棒１０を介して吊り下げることによって、吊り荷８のバランス調整が容易に行える。
【符号の説明】
【００４３】
１：第１天秤棒
２：クレーン
３ａ、３ｂ：バランスウエイト用チェーンブロック
４：バランスウエイト
５：吊下げ用フック
６：吊下げ治具
７：高さ調整用チェーンブロック
８：吊り荷
９ａ、９ｂ：吊り荷用チェーンブロック
１０：第２天秤棒
１１：フック
１２：天秤棒
１３：バランスウエイト
１４：壁部材
１５：ビルの側面
１６：フック
１７：滑車
１８：滑車
１９：天秤棒
２０：ワイヤーロープ
２１：バランスウエイト
２２：シャックル
２３：ワイヤーロープ
２４：吊り荷
【図１】
2019177964.tif 000003
【図２】
2019177964.tif 000004
【図３】
2019177964.tif 000005
【図４】
2019177964.tif 000006
【図５】
2019177964.tif 000007